(57)【要約】【課題】  認証された使用者がデジタルコンテンツに対する一部使用または未使用の権利客体を返納し得るか、または、他の使用者に伝達し得るデジタル著作権管理システムにおける権利客体処理のためのメッセージ及びこれを利用した権利客体処理方法及びシステムを提供することにある。【解決手段】  デジタル著作権管理システムにおける権利客体処理方法は、デジタルコンテンツに対する権利客体伝達要求メッセージを第１のディバイスから権利発行サーバーに伝送する過程と、前記権利客体伝達要求メッセージを前記権利発行サーバーが分析する過程と、前記分析の結果から、前記権利客体伝達要求メッセージが権利客体の伝達を要求するメッセージであると、前記権利発行サーバーが第２のディバイスに前記権利客体を伝送する過程と、を含む。【選択図】  図６
2006040279.tif 000002
【特許請求の範囲】
【請求項１】
デジタルコンテンツに対する権利客体伝達要求メッセージを伝送する第１のディバイスと、
前記権利客体伝達要求メッセージを分析し、権利客体を伝送する権利発行サーバーと、
前記権利発行サーバーから前記権利客体を受信する第２のディバイスと、
から構成されることを特徴とするデジタル著作権管理システムにおける権利客体処理システム。
【請求項２】
前記権利発行サーバーと連係して前記デジタルコンテンツを前記第１及び第２のディバイスに提供するプレゼンテーションサーバーをさらに含むことを特徴とする請求項１に記載のデジタル著作権管理システムにおける権利客体処理システム。
【請求項３】
前記プレゼンテーションサーバーは、前記デジタルコンテンツを供給するコンテンツ発行サーバーを含むこともでき、前記コンテンツ発行サーバーと連係して動作することもできることを特徴とする請求項２に記載のデジタル著作権管理システムにおける権利客体処理システム。
【請求項４】
前記権利客体伝達要求メッセージは、
前記権利客体伝達要求メッセージを送信する第１のディバイスのＩＤを示すディバイスＩＤと、
前記権利客体伝達要求メッセージを受信する前記権利発行サーバーのＩＤを示す権利発行サーバーＩＤと、
前記第１のディバイスが生成する任意値を示すディバイスノンス(nonce)と、
返納や伝達の対象になる権利客体を示す保護権利客体と、
機関間の認証手順を示す認証チェーンと、
追加される情報を記録する追加情報と、
デジタル署名を示すデジタル署名と、から構成されることを特徴とする請求項１に記載のデジタル著作権管理システムにおける権利客体処理システム。
【請求項５】
前記権利発行サーバーから前記権利客体伝達要求メッセージに対する応答メッセージを受信すると、前記第１のディバイスは、前記権利客体を削除することを特徴とする請求項１に記載のデジタル著作権管理システムにおける権利客体処理システム。
【請求項６】
前記権利発行サーバーは、
前記権利客体伝達要求メッセージの追加情報パラメーターに第２のディバイスＩＤが存在すると、権利客体の伝達を要求するためのメッセージであると判断し、
前記権利客体伝達要求メッセージの追加情報パラメーターに第２のディバイスＩＤが存在しないと、権利客体の返納を要求するためのメッセージであると判断することを特徴とする請求項１に記載のデジタル著作権管理システムにおける権利客体処理システム。
【請求項７】
前記分析の結果から、前記権利客体伝達要求メッセージが権利客体の伝達を要求するためのメッセージであると判断される場合、前記権利発行サーバーは、権利客体を前記第２のディバイスに伝達することを特徴とする請求項１に記載のデジタル著作権管理システムにおける権利客体処理システム。
【請求項８】
前記分析の結果から、前記権利客体伝達要求メッセージが権利客体の返納を要求するためのメッセージであると判断される場合、前記権利発行サーバーは、プレゼンテーションサーバーと連係して前記権利客体の返納サービスを遂行することを特徴とする請求項１に記載のデジタル著作権管理システムにおける権利客体処理システム。
【請求項９】
前記権利客体返納サービスを遂行するために、前記権利発行サーバーは、
前記プレゼンテーションサーバーに前記第１のディバイスの権利客体の返納要求を知らせ、
前記プレゼンテーションサーバーから返納サービス準備完了の報告が受信されると、権利客体返納のために前記プレゼンテーションサーバーへの接続を指示するための接続指示メッセージを前記第１のディバイスに伝送することを特徴とする請求項８に記載のデジタル著作権管理システムにおける権利客体処理システム。
【請求項１０】
前記接続指示メッセージは、ＲＯＡＰトリガーであることを特徴とする請求項９に記載のデジタル著作権管理システムにおける権利客体処理システム。
【請求項１１】
前記プレゼンテーションサーバーは、
前記第１のディバイスによって接続されると、使用者選択項目を第１のディバイスに提供し、
前記使用者選択項目のうちいずれか１つが前記第１のディバイスにより選択されると、前記選択された項目を前記権利発行サーバーと相互連係して遂行することを特徴とする請求項９に記載のデジタル著作権管理システムにおける権利客体処理システム。
【請求項１２】
前記使用者選択項目は、サイバーキャッシュで払い戻し選択項目及びまた他の権利客体発給選択項目を含むことを特徴とする請求項１１に記載のデジタル著作権管理システムにおける権利客体処理システム。
【請求項１３】
デジタルコンテンツに対する権利客体伝達要求メッセージを第１のディバイスから権利発行サーバーに伝送する過程と、
前記権利客体伝達要求メッセージを前記権利発行サーバーが分析する過程と、
前記分析の結果から、前記権利客体伝達要求メッセージが権利客体の伝達を要求するメッセージであると、前記権利発行サーバーが第２のディバイスに前記権利客体を伝送する過程と、
を含むことを特徴とするデジタル著作権管理システムにおける権利客体処理方法。
【請求項１４】
前記分析の結果から、前記権利客体伝達要求メッセージの追加情報パラメーターに第２のディバイスＩＤがあると、前記権利客体伝達要求メッセージは権利客体の伝達を要求するメッセージであると判断されることを特徴とする請求項１３に記載のデジタル著作権管理システムにおける権利客体処理方法。
【請求項１５】
前記権利客体を前記第２のディバイスに伝送する過程は、
前記権利客体伝達要求メッセージに対する応答メッセージを前記権利発行サーバーから前記第１のディバイスに送信する過程と、
前記第１のディバイスが前記権利客体を削除する過程と、
前記権利発行サーバーが前記権利客体を前記第２のディバイスに伝達する過程と、を含むことを特徴とする請求項１３に記載のデジタル著作権管理システムにおける権利客体処理方法。
【請求項１６】
前記権利発行サーバーは、前記権利客体を該当保存所で管理していてから前記第２のディバイスに伝達することを特徴とする請求項１５に記載のデジタル著作権管理システムにおける権利客体処理方法。
【請求項１７】
前記第２のディバイスに前記権利客体を成功的に伝達することができないと判断される場合、前記権利発行サーバーは、前記権利客体伝達の失敗を知らせるトリガーを第１のディバイスに送信する過程と、
前記トリガーに含まれたプレゼンテーションサーバー情報を利用して前記プレゼンテーションサーバーに第１のディバイスが接続する過程と、
前記プレゼンテーションサーバーが第１のディバイスに所定の選択項目を提供する過程と、をさらに含むことを特徴とする請求項１５に記載のデジタル著作権管理システムにおける権利客体処理方法。
【請求項１８】
前記第２のディバイスの電源が消えているか、前記第２のディバイスから受信応答がないか、または、前記第２のディバイスから受信不可能の応答があると、前記権利発行サーバーは、前記権利客体を前記第２のディバイスに伝達することができないと判断することを特徴とする請求横１７に記載のデジタル著作権管理システムにおける権利客体処理方法。
【請求項１９】
前記トリガーに含まれたプレゼンテーションサーバー情報は、権利客体伝達の失敗時に前記第１のディバイスが選択し得るサービスを提供する前記プレゼンテーションサーバーのＵＲＬアドレスを含むことを特徴とする請求項１７に記載のデジタル著作権管理システムにおける権利客体処理方法。
【請求項２０】
前記所定の選択項目は、サイバーキャッシュで払い戻し、やり直し、また他の権利客体の発給及び前記権利客体の回収を含むことを特徴とする請求項１７に記載のデジタル著作権管理システムにおける権利客体処理方法。
【請求項２１】
前記第１のディバイスにより前記所定の選択項目のうち１つが選択されると、前記選択された項目を、前記プレゼンテーションサーバーと前記権利発行サーバーが相互連係して遂行することを特徴とする請求項１７に記載のデジタル著作権管理システムにおける権利客体処理方法。
【請求項２２】
前記第２のディバイスが前記権利客体に該当するデジタルコンテンツを有していないと、正常な登録手順及び権利客体発給手順を遂行するように第２のディバイスを誘導するためのトリガーを第２のディバイスに送信する過程をさらに含むことを特徴とする請求項１５に記載のデジタル著作権管理システムにおける権利客体処理方法。
【請求項２３】
前記権利客体を前記第２のディバイスに伝送する過程は、
前記権利客体を前記権利発行サーバーから第２のディバイスに伝達する過程と、
前記権利客体の伝達が正常に行われた場合、前記権利発行サーバーから前記第１のディバイスに前記権利客体伝達要求メッセージに対する応答メッセージを送信する過程と、
前記第１のディバイスが前記権利客体を削除する過程と、を含むことを特徴とする請求項１３に記載のデジタル著作権管理システムにおける権利客体処理方法。
【請求項２４】
前記権利客体伝達要求メッセージの送信、前記権利客体の第２のディバイスへの伝達及び前記応答メッセージの送信が１つのトランザクションによって処理されることを特徴とする請求項２３に記載のデジタル著作権管理システムにおける権利客体処理方法。
【請求項２５】
前記１つのトランザクションは、前記権利客体伝達要求メッセージの送信、前記権利客体の伝達及び前記応答メッセージの送信の一括処理を示すことを特徴とする請求項２４に記載のデジタル著作権管理システムにおける権利客体処理方法。
【請求項２６】
前記分析結果から、前記権利客体伝達要求メッセージが権利客体の返納を要求するメッセージであると、前記権利発行サーバーが前記権利客体を返納するための手順を遂行する過程をさらに含むことを特徴とする請求項１３に記載のデジタル著作権管理システムにおける権利客体処理方法。
【請求項２７】
前記権利客体伝達要求メッセージの追加情報パラメーターに第２のディバイスＩＤが存在しないと、前記権利客体伝達要求メッセージは権利客体の返納を要求するメッセージであると判断されることを特徴とする請求項２６に記載のデジタル著作権管理システムにおける権利客体処理方法。
【請求項２８】
前記権利客体を返納するための手順を遂行する過程は、
前記権利発行サーバーがプレゼンテーションサーバーに前記第１のディバイスの権利客体の返納要求を知らせる過程と、
前記プレゼンテーションサーバーが権利客体返納サービスのための準備を遂行し、返納サービスが準備されたことを前記権利発行サーバーに知らせる過程と、
権利客体返納のために前記プレゼンテーションサーバーへの接続を指示するための接続指示メッセージを前記権利発行サーバーが前記第１のディバイスに伝送する過程と、を含むことを特徴とする請求項２６に記載のデジタル著作権管理システムにおける権利客体処理方法。
【請求項２９】
前記接続指示メッセージは、ＲＯＡＰトリガーであることを特徴とする請求項２８に記載のデジタル著作権管理システムにおける権利客体処理方法。
【請求項３０】
前記第１のディバイスが前記プレゼンテーションサーバーに接続する過程と、
前記プレゼンテーションサーバーが使用者選択項目を第１のディバイスに提供する過程と、
前記使用者選択項目のうち前記第１のディバイスによって選択された項目を前記プレゼンテーションサーバーと前記権利発行サーバーが相互連係して遂行する過程をさらに含むことを特徴とする請求項２８に記載のデジタル著作権管理システムにおける権利客体処理方法。
【請求項３１】
前記使用者選択項目は、サイバーキャッシュで払い戻し項目及びまた他の権利客体発給項目を含むことを特徴とする請求項２８に記載のデジタル著作権管理システムにおける権利客体処理方法。
【請求項３２】
デジタルコンテンツに対する権利客体の再活用を要求するために第１のディバイスから権利発行サーバーに伝送される権利客体伝達要求メッセージは、
前記権利客体伝達要求メッセージを送信する第１のディバイスＩＤを示すディバイスＩＤと、
前記権利客体伝達要求メッセージを受信する権利発行サーバーＩＤを示す権利発行サーバーＩＤと、
前記第１のディバイスが生成する任意値を示すディバイスノンス(nonce)と、
返納または伝達の対象になる権利客体を示す保護権利客体と、
機関間の認証手順を示す認証チェーンと、
追加される情報を記録する追加情報と、
デジタル署名を示すデジタル署名と、
を含んで構成されることを特徴とするデジタル著作権管理システムにおける権利客体処理のためのメッセージ。
【請求項３３】
前記権利客体伝達要求メッセージは、前記権利客体を第２のディバイスに伝達するために前記追加情報パラメーターに前記第２のディバイスのＩＤを含むことを特徴とする請求項３２に記載のデジタル著作権管理システムにおける権利客体処理のためのメッセージ。
【請求項３４】
前記権利客体伝達要求メッセージは、前記権利客体を返納するために前記追加情報パラメーターに受信ディバイスのＩＤを含まないことを特徴とする請求項３２に記載のデジタル著作権管理システムにおける権利客体処理のためのメッセージ。
【請求項３５】
前記ディバイスＩＤは、前記ディバイスの電話番号、ＴＭＳＩ(Temporary Mobile Subscriber Identity)、ＩＭＳＩ(International MobileSubscriber Identity)及びＩＰアドレスを含むことを特徴とする請求項３２に記載のデジタル著作権管理システムにおける権利客体処理のためのメッセージ。
【請求項３６】
前記ディバイスＩＤ、前記権利発行サーバーＩＤ、ディバイスノンス、保護権利客体及びデジタル署名は、必須に含まれるパラメーターで、前記認証チェーン及び追加情報は、選択的に含まれるパラメーターであることを特徴とする請求項３２に記載のデジタル著作権管理システムにおける権利客体処理のためのメッセージ。
【請求項３７】
前記権利客体伝達要求メッセージに対する応答メッセージは、
前記権利客体の伝達が成功的に行われたか否かを示す状態情報と、
前記権利客体伝達要求メッセージを送信した第１のディバイスＩＤを示すディバイスＩＤと、
ドメインＩＤと、
前記応答メッセージを送信する権利発行サーバーＩＤを示す権利発行サーバーＩＤと、
前記権利客体伝達要求メッセージに含まれていたディバイスノンス(nonce)の値を利用するディバイスノンスと、
デジタル署名を示すデジタル署名と、を含んで構成されることを特徴とする請求項３２に記載のデジタル著作権管理システムにおける権利客体処理のためのメッセージ。
【発明の詳細な説明】
【技術分野】
【０００１】
本発明は、デジタル著作権管理(Digital Rights Management: 以下、ＤＲＭと称する)システムに関し、特に、ＤＲＭシステムにおける権利客体(RightsObject: ＲＯ)処理のためのメッセージ及びこれを利用した権利客体処理方法及びシステムに関する。
【背景技術】
【０００２】
最近、オンラインコミュニティ、電子商取り引きなどを中心にインターネットビジネスが盛んになりつつ、オンラインコンテンツ(content)提供者は、使用者の関心及び興味を誘発させる多様なコンテンツを提供している。このようなコンテンツは、テキストと、音楽、イメージ及び動映像などのマルチメディアが主であり、多様なマルチメディアデータは、インターネット放送、教育、ニュース、スポーツ、旅行情報、専門家のコンサルティングなど、数え切れないほどの多様な分野に適用され、仮想空間で新しいサービスを創出している。このようなデジタルコンテンツは、既存のアナログコンテンツと比較すると、生成、加工、流通、分配などの側面で多くの長所があるが、原本と同一のコピー本を容易に作れるという特徴があるため、デジタル創作物に対する著作権保護問題が深刻な問題になった。
【０００３】
ＤＲＭシステムは、デジタル資産に対する権利を安全に保護し、体系的に管理するためのメカニズムであり、コンテンツの無断複製を防止すると共に、コンテンツが生成されて出版、流通及び使用されるまでの過程に対する一連の保護及び管理体系を提供する。ＤＲＭシステムは、デジタルコンテンツが常に暗号化された状態で存在して、認証された使用者のみがデジタルコンテンツを瞬間的に復号化して使用することを可能にし、該デジタルコンテンツが複製されても認証されない使用者は使用できないように制御することによって、不法複製を防止する。
【０００４】
このようなＤＲＭシステムは、デジタルコンテンツに対する持続的な保護が可能で、多様な使用規則を適用することができるべきである。ＤＲＭ技術が適用されたコンテンツであっても既存のデジタル情報の配布方式及び利用方式をそのまま受容できるべきで、ＤＲＭの技術的な保護措置は、使用者に不便を与えてはいけない。
【０００５】
しかしながら、認証された使用者が、発給を受けたデジタルコンテンツに対する権利(権利客体(ＲＯ))を使用してから残った権利(権利客体)または使用しない権利(権利客体)を、他の使用者に伝達することを所望するか、返納及び払い戻しまたはまた他の権利客体を所望する時、一般的なＤＲＭシステムは、このような使用者の要求を支援することができないという問題点があった。
【発明の開示】
【発明が解決しようとする課題】
【０００６】
本発明は、前述したような問題点を解決するために提案されたものであり、本発明の目的は、認証された使用者がデジタルコンテンツに対する一部使用または未使用の権利客体を他の使用者に伝達し得るＤＲＭシステムにおける権利客体処理のためのメッセージ及びこれを利用した権利客体処理方法及びシステムを提供することにある。
【０００７】
本発明の他の目的は、認証された使用者がデジタルコンテンツに対する一部使用または未使用の権利客体を返納し得るＤＲＭシステムにおける権利客体処理のためのメッセージ及びこれを利用した権利客体処理方法及びシステムを提供することにある。
【０００８】
本発明のまた他の目的は、権利客体の返納または他人への伝達を要求するためのメッセージを定義し、該定義されたメッセージを認証された使用者と権利発行サーバー(ＲＩ)間に伝送することで、認証された使用者の権利客体の返納要求または権利客体の他人への伝達要求を権利発行サーバー(ＲＩ)が認識してそれに従う手順を遂行し得るＤＲＭシステムにおける権利客体処理のためのメッセージ及びこれを利用した権利客体処理方法及びシステムを提供することにある。
【課題を解決するための手段】
【０００９】
このような目的を達成するために本発明によるＤＲＭシステムにおける権利客体処理システムは、デジタルコンテンツに対する権利客体伝達要求メッセージを伝送する第１のディバイスと、前記権利客体伝達要求メッセージを分析し、権利客体を伝送する権利発行サーバーと、前記権利発行サーバーから前記権利客体を受信する第２のディバイスと、から構成されることを特徴とする。
【００１０】
前記ＤＲＭシステムにおける権利客体処理システムは、前記権利発行サーバーと連係して前記デジタルコンテンツを前記第１及び第２のディバイスに提供するプレゼンテーションサーバーをさらに含む。
【００１１】
このような目的を達成するために本発明によるＤＲＭシステムにおける権利客体処理方法は、デジタルコンテンツに対する権利客体伝達要求メッセージを第１のディバイスから権利発行サーバーに伝送する過程と、前記権利客体伝達要求メッセージを前記権利発行サーバーが分析する過程と、前記分析の結果から、前記権利客体伝達要求メッセージが権利客体の伝達を要求するメッセージであると、前記権利発行サーバーが第２のディバイスに前記権利客体を伝送する過程と、からなることを特徴とする。
【００１２】
前記分析の結果から、前記権利客体伝達要求メッセージの追加情報パラメーターに第２のディバイスＩＤがあると、前記権利客体伝達要求メッセージは権利客体の伝達を要求するメッセージであると判断され、前記追加情報パラメーターに第２のディバイスＩＤがないと、前記権利客体伝達要求メッセージは権利客体の返納を要求するメッセージであると判断される。
【００１３】
前記ＤＲＭシステムにおける権利客体処理方法は、前記権利客体伝達要求メッセージが権利客体の返納を要求するメッセージであると、前記権利発行サーバーが前記権利客体を返納するための手順を遂行する過程をさらに含む。
【００１４】
このような目的を達成するために、本発明によるＤＲＭシステムにおける権利客体処理のためのメッセージは、デジタルコンテンツに対する権利客体の再活用を要求するために第１のディバイスから権利発行サーバーに伝送される権利客体伝達要求メッセージと、前記権利客体伝達要求メッセージに対する応答メッセージと、を含む。
【００１５】
前記 権利客体伝達要求メッセージは、前記権利客体伝達要求メッセージを送信する第１のディバイスＩＤを示すディバイスＩＤと、前記権利客体伝達要求メッセージを受信する権利発行サーバーＩＤを示す権利発行サーバーＩＤと、前記第１のディバイスが生成する任意値を示すディバイスノンス(nonce)と、返納または伝達の対象になる権利客体を示す保護権利客体と、機関間の認証手順を示す認証チェーンと、追加される情報を記録する追加情報と、デジタル署名を示すデジタル署名と、を含んで構成される。
【００１６】
前記応答メッセージは、前記権利客体の伝達が成功的に行われたか否かを示す状態情報と、前記権利客体伝達要求メッセージを送信した第１のディバイスＩＤを示すディバイスＩＤと、ドメインＩＤと、前記応答メッセージを送信する権利発行サーバーＩＤを示す権利発行サーバーＩＤと、前記権利客体伝達要求メッセージに含まれていたディバイスノンス(nonce)の値を利用するディバイスノンスと、デジタル署名を示すデジタル署名と、を含んで構成される。
【００１７】
本発明により、以下が提供される：
（項目１）
デジタルコンテンツに対する権利客体伝達要求メッセージを伝送する第１のディバイスと、
前記権利客体伝達要求メッセージを分析し、権利客体を伝送する権利発行サーバーと、
前記権利発行サーバーから前記権利客体を受信する第２のディバイスと、
から構成されることを特徴とするデジタル著作権管理システムにおける権利客体処理システム。
（項目２）
前記権利発行サーバーと連係して前記デジタルコンテンツを前記第１及び第２のディバイスに提供するプレゼンテーションサーバーをさらに含むことを特徴とする項目１に記載のデジタル著作権管理システムにおける権利客体処理システム。
（項目３）
前記プレゼンテーションサーバーは、前記デジタルコンテンツを供給するコンテンツ発行サーバーを含むこともでき、前記コンテンツ発行サーバーと連係して動作することもできることを特徴とする項目２に記載のデジタル著作権管理システムにおける権利客体処理システム。
（項目４）
前記権利客体伝達要求メッセージは、
前記権利客体伝達要求メッセージを送信する第１のディバイスのＩＤを示すディバイスＩＤと、
前記権利客体伝達要求メッセージを受信する前記権利発行サーバーのＩＤを示す権利発行サーバーＩＤと、
前記第１のディバイスが生成する任意値を示すディバイスノンス(nonce）と、
返納や伝達の対象になる権利客体を示す保護権利客体と、
機関間の認証手順を示す認証チェーンと、
追加される情報を記録する追加情報と、
デジタル署名を示すデジタル署名と、から構成されることを特徴とする項目１に記載のデジタル著作権管理システムにおける権利客体処理システム。
（項目５）
前記権利発行サーバーから前記権利客体伝達要求メッセージに対する応答メッセージを受信すると、前記第１のディバイスは、前記権利客体を削除することを特徴とする項目１に記載のデジタル著作権管理システムにおける権利客体処理システム。
（項目６）
前記権利発行サーバーは、
前記権利客体伝達要求メッセージの追加情報パラメーターに第２のディバイスＩＤが存在すると、権利客体の伝達を要求するためのメッセージであると判断し、
前記権利客体伝達要求メッセージの追加情報パラメーターに第２のディバイスＩＤが存在しないと、権利客体の返納を要求するためのメッセージであると判断することを特徴とする項目１に記載のデジタル著作権管理システムにおける権利客体処理システム。
（項目７）
前記分析の結果から、前記権利客体伝達要求メッセージが権利客体の伝達を要求するためのメッセージであると判断される場合、前記権利発行サーバーは、権利客体を前記第２のディバイスに伝達することを特徴とする項目１に記載のデジタル著作権管理システムにおける権利客体処理システム。
（項目８）
前記分析の結果から、前記権利客体伝達要求メッセージが権利客体の返納を要求するためのメッセージであると判断される場合、前記権利発行サーバーは、プレゼンテーションサーバーと連係して前記権利客体の返納サービスを遂行することを特徴とする項目１に記載のデジタル著作権管理システムにおける権利客体処理システム。
（項目９）
前記権利客体返納サービスを遂行するために、前記権利発行サーバーは、
前記プレゼンテーションサーバーに前記第１のディバイスの権利客体の返納要求を知らせ、
前記プレゼンテーションサーバーから返納サービス準備完了の報告が受信されると、権利客体返納のために前記プレゼンテーションサーバーへの接続を指示するための接続指示メッセージを前記第１のディバイスに伝送することを特徴とする項目８に記載のデジタル著作権管理システムにおける権利客体処理システム。
（項目１０）
前記接続指示メッセージは、ＲＯＡＰトリガーであることを特徴とする項目９に記載のデジタル著作権管理システムにおける権利客体処理システム。
（項目１１）
前記プレゼンテーションサーバーは、
前記第１のディバイスによって接続されると、使用者選択項目を第１のディバイスに提供し、
前記使用者選択項目のうちいずれか１つが前記第１のディバイスにより選択されると、前記選択された項目を前記権利発行サーバーと相互連係して遂行することを特徴とする項目９に記載のデジタル著作権管理システムにおける権利客体処理システム。
（項目１２）
前記使用者選択項目は、サイバーキャッシュで払い戻し選択項目及びまた他の権利客体発給選択項目を含むことを特徴とする項目１１に記載のデジタル著作権管理システムにおける権利客体処理システム。
（項目１３）
デジタルコンテンツに対する権利客体伝達要求メッセージを第１のディバイスから権利発行サーバーに伝送する過程と、
前記権利客体伝達要求メッセージを前記権利発行サーバーが分析する過程と、
前記分析の結果から、前記権利客体伝達要求メッセージが権利客体の伝達を要求するメッセージであると、前記権利発行サーバーが第２のディバイスに前記権利客体を伝送する過程と、
を含むことを特徴とするデジタル著作権管理システムにおける権利客体処理方法。
（項目１４）
前記分析の結果から、前記権利客体伝達要求メッセージの追加情報パラメーターに第２のディバイスＩＤがあると、前記権利客体伝達要求メッセージは権利客体の伝達を要求するメッセージであると判断されることを特徴とする項目１３に記載のデジタル著作権管理システムにおける権利客体処理方法。
（項目１５）
前記権利客体を前記第２のディバイスに伝送する過程は、
前記権利客体伝達要求メッセージに対する応答メッセージを前記権利発行サーバーから前記第１のディバイスに送信する過程と、
前記第１のディバイスが前記権利客体を削除する過程と、
前記権利発行サーバーが前記権利客体を前記第２のディバイスに伝達する過程と、を含むことを特徴とする項目１３に記載のデジタル著作権管理システムにおける権利客体処理方法。
（項目１６）
前記権利発行サーバーは、前記権利客体を該当保存所で管理していてから前記第２のディバイスに伝達することを特徴とする項目１５に記載のデジタル著作権管理システムにおける権利客体処理方法。
（項目１７）
前記第２のディバイスに前記権利客体を成功的に伝達することができないと判断される場合、前記権利発行サーバーは、前記権利客体伝達の失敗を知らせるトリガーを第１のディバイスに送信する過程と、
前記トリガーに含まれたプレゼンテーションサーバー情報を利用して前記プレゼンテーションサーバーに第１のディバイスが接続する過程と、
前記プレゼンテーションサーバーが第１のディバイスに所定の選択項目を提供する過程と、をさらに含むことを特徴とする項目１５に記載のデジタル著作権管理システムにおける権利客体処理方法。
（項目１８）
前記第２のディバイスの電源が消えているか、前記第２のディバイスから受信応答がないか、または、前記第２のディバイスから受信不可能の応答があると、前記権利発行サーバーは、前記権利客体を前記第２のディバイスに伝達することができないと判断することを特徴とする請求横１７に記載のデジタル著作権管理システムにおける権利客体処理方法。
（項目１９）
前記トリガーに含まれたプレゼンテーションサーバー情報は、権利客体伝達の失敗時に前記第１のディバイスが選択し得るサービスを提供する前記プレゼンテーションサーバーのＵＲＬアドレスを含むことを特徴とする項目１７に記載のデジタル著作権管理システムにおける権利客体処理方法。
（項目２０）
前記所定の選択項目は、サイバーキャッシュで払い戻し、やり直し、また他の権利客体の発給及び前記権利客体の回収を含むことを特徴とする項目１７に記載のデジタル著作権管理システムにおける権利客体処理方法。
（項目２１）
前記第１のディバイスにより前記所定の選択項目のうち１つが選択されると、前記選択された項目を、前記プレゼンテーションサーバーと前記権利発行サーバーが相互連係して遂行することを特徴とする項目１７に記載のデジタル著作権管理システムにおける権利客体処理方法。
（項目２２）
前記第２のディバイスが前記権利客体に該当するデジタルコンテンツを有していないと、正常な登録手順及び権利客体発給手順を遂行するように第２のディバイスを誘導するためのトリガーを第２のディバイスに送信する過程をさらに含むことを特徴とする項目１５に記載のデジタル著作権管理システムにおける権利客体処理方法。
（項目２３）
前記権利客体を前記第２のディバイスに伝送する過程は、
前記権利客体を前記権利発行サーバーから第２のディバイスに伝達する過程と、
前記権利客体の伝達が正常に行われた場合、前記権利発行サーバーから前記第１のディバイスに前記権利客体伝達要求メッセージに対する応答メッセージを送信する過程と、
前記第１のディバイスが前記権利客体を削除する過程と、を含むことを特徴とする項目１３に記載のデジタル著作権管理システムにおける権利客体処理方法。
（項目２４）
前記権利客体伝達要求メッセージの送信、前記権利客体の第２のディバイスへの伝達及び前記応答メッセージの送信が１つのトランザクションによって処理されることを特徴とする項目２３に記載のデジタル著作権管理システムにおける権利客体処理方法。
（項目２５）
前記１つのトランザクションは、前記権利客体伝達要求メッセージの送信、前記権利客体の伝達及び前記応答メッセージの送信の一括処理を示すことを特徴とする項目２４に記載のデジタル著作権管理システムにおける権利客体処理方法。
（項目２６）
前記分析結果から、前記権利客体伝達要求メッセージが権利客体の返納を要求するメッセージであると、前記権利発行サーバーが前記権利客体を返納するための手順を遂行する過程をさらに含むことを特徴とする項目１３に記載のデジタル著作権管理システムにおける権利客体処理方法。
（項目２７）
前記権利客体伝達要求メッセージの追加情報パラメーターに第２のディバイスＩＤが存在しないと、前記権利客体伝達要求メッセージは権利客体の返納を要求するメッセージであると判断されることを特徴とする項目２６に記載のデジタル著作権管理システムにおける権利客体処理方法。
（項目２８）
前記権利客体を返納するための手順を遂行する過程は、
前記権利発行サーバーがプレゼンテーションサーバーに前記第１のディバイスの権利客体の返納要求を知らせる過程と、
前記プレゼンテーションサーバーが権利客体返納サービスのための準備を遂行し、返納サービスが準備されたことを前記権利発行サーバーに知らせる過程と、
権利客体返納のために前記プレゼンテーションサーバーへの接続を指示するための接続指示メッセージを前記権利発行サーバーが前記第１のディバイスに伝送する過程と、を含むことを特徴とする項目２６に記載のデジタル著作権管理システムにおける権利客体処理方法。
（項目２９）
前記接続指示メッセージは、ＲＯＡＰトリガーであることを特徴とする項目２８に記載のデジタル著作権管理システムにおける権利客体処理方法。
（項目３０）
前記第１のディバイスが前記プレゼンテーションサーバーに接続する過程と、
前記プレゼンテーションサーバーが使用者選択項目を第１のディバイスに提供する過程と、
前記使用者選択項目のうち前記第１のディバイスによって選択された項目を前記プレゼンテーションサーバーと前記権利発行サーバーが相互連係して遂行する過程をさらに含むことを特徴とする項目２８に記載のデジタル著作権管理システムにおける権利客体処理方法。
（項目３１）
前記使用者選択項目は、サイバーキャッシュで払い戻し項目及びまた他の権利客体発給項目を含むことを特徴とする項目２８に記載のデジタル著作権管理システムにおける権利客体処理方法。
（項目３２）
デジタルコンテンツに対する権利客体の再活用を要求するために第１のディバイスから権利発行サーバーに伝送される権利客体伝達要求メッセージは、
前記権利客体伝達要求メッセージを送信する第１のディバイスＩＤを示すディバイスＩＤと、
前記権利客体伝達要求メッセージを受信する権利発行サーバーＩＤを示す権利発行サーバーＩＤと、
前記第１のディバイスが生成する任意値を示すディバイスノンス(nonce）と、
返納または伝達の対象になる権利客体を示す保護権利客体と、
機関間の認証手順を示す認証チェーンと、
追加される情報を記録する追加情報と、
デジタル署名を示すデジタル署名と、
を含んで構成されることを特徴とするデジタル著作権管理システムにおける権利客体処理のためのメッセージ。
（項目３３）
前記権利客体伝達要求メッセージは、前記権利客体を第２のディバイスに伝達するために前記追加情報パラメーターに前記第２のディバイスのＩＤを含むことを特徴とする項目３２に記載のデジタル著作権管理システムにおける権利客体処理のためのメッセージ。
（項目３４）
前記権利客体伝達要求メッセージは、前記権利客体を返納するために前記追加情報パラメーターに受信ディバイスのＩＤを含まないことを特徴とする項目３２に記載のデジタル著作権管理システムにおける権利客体処理のためのメッセージ。
（項目３５）
前記ディバイスＩＤは、前記ディバイスの電話番号、ＴＭＳＩ(Temporary Mobile Subscriber Identity）、ＩＭＳＩ(International MobileSubscriber Identity）及びＩＰアドレスを含むことを特徴とする項目３２に記載のデジタル著作権管理システムにおける権利客体処理のためのメッセージ。
（項目３６）
前記ディバイスＩＤ、前記権利発行サーバーＩＤ、ディバイスノンス、保護権利客体及びデジタル署名は、必須に含まれるパラメーターで、前記認証チェーン及び追加情報は、選択的に含まれるパラメーターであることを特徴とする項目３２に記載のデジタル著作権管理システムにおける権利客体処理のためのメッセージ。
（項目３７）
前記権利客体伝達要求メッセージに対する応答メッセージは、
前記権利客体の伝達が成功的に行われたか否かを示す状態情報と、
前記権利客体伝達要求メッセージを送信した第１のディバイスＩＤを示すディバイスＩＤと、
ドメインＩＤと、
前記応答メッセージを送信する権利発行サーバーＩＤを示す権利発行サーバーＩＤと、
前記権利客体伝達要求メッセージに含まれていたディバイスノンス(nonce）の値を利用するディバイスノンスと、
デジタル署名を示すデジタル署名と、を含んで構成されることを特徴とする項目３２に記載のデジタル著作権管理システムにおける権利客体処理のためのメッセージ。
【００１８】
デジタル著作権管理システムにおける権利客体処理方法は、デジタルコンテンツに対する権利客体伝達要求メッセージを第１のディバイスから権利発行サーバーに伝送する過程と、前記権利客体伝達要求メッセージを前記権利発行サーバーが分析する過程と、前記分析の結果から、前記権利客体伝達要求メッセージが権利客体の伝達を要求するメッセージであると、前記権利発行サーバーが第２のディバイスに前記権利客体を伝送する過程と、を含む。
【発明の効果】
【００１９】
本発明は、認証されたディバイスがデジタルコンテンツに対する一部使用または未使用の権利客体を他のディバイスに伝達するかまたは権利発行サーバー(ＲＩ)に返納を要求するためのメッセージを新しく定義し、該新しく正義されたメッセージを権利発行サーバー(ＲＩ)が認識することで、認証されたディバイスが該当権利客体を権利発行サーバー(ＲＩ)を通じて他のディバイスに伝達するか、または、権利発行サーバー(ＲＩ)に返納し得るという効果がある。
【００２０】
また、本発明は、認証されたディバイスが一部使用または未使用の権利客体を権利発行サーバー(ＲＩ)を通じて他のディバイスに伝達しようとする時、該他のディバイスが前記権利客体を受信することができない場合は、権利発行サーバー(ＲＩ)が、払い戻し、また他の権利客体の発給または前記権利客体の回収などの他の手順を前記認証されたディバイスに誘導し、また、前記他のディバイスが前記権利客体に該当するデジタルコンテンツを有していない場合は、正常な登録手順を遂行するように権利発行サーバー(ＲＩ)が前記他のディバイスに誘導することで、使用者に使用の便利性を提供することができるという効果がある。
【発明を実施するための最良の形態】
【００２１】
以下、図面を参照して本発明の望ましい実施形態を説明する。
【００２２】
図１は、本発明によるＤＲＭシステムにおける権利客体処理システムの構成の一例を示す。図１に示すように、本発明によるＤＲＭシステムにおける権利客体処理システムは、デジタルコンテンツに対する権利客体伝達要求メッセージを伝送する第１のディバイス１０と、前記権利客体伝達要求メッセージを分析し、権利客体を伝送する権利発行サーバー(Rights Issuer: 以下、ＲＩと称する)２０と、前記ＲＩ２０から前記権利客体を受ける第２のディバイス１１と、前記権利発行サーバー２０と連係して前記デジタルコンテンツを前記第１及び第２のディバイス１０、１１に提供するプレゼンテーションサーバー(presentationserver: 以下、ＰＳと称する)３０と、を含んで構成される。
【００２３】
前記ＰＳ３０は、前記デジタルコンテンツを供給するコンテンツ発行サーバー(Content Issuer: 以下、ＣＩと称する)を含むこともでき、前記ＣＩと連係して動作することもできる。
【００２４】
本発明は、一例として、第１のディバイス１０がＲＩ２０から１つのデジタルコンテンツに対する権利客体の発給を受け、第２のディバイス１１は前記デジタルコンテンツに対して認証されたかまたは認証されなかった時、第１のディバイス１０が発給を受けた一部使用または未使用の権利客体を第２のディバイス１１に伝達することを要求するか、または、第１のディバイス１０が前記ＲＩ２０に前記未使用権利客体や一部使用された権利客体を返納することを要求するために、第１のディバイス１０から前記ＲＩ２０に伝送するための権利客体伝達要求(RO Submit Request)メッセージを定義する。また、本発明は、前記権利客体伝達要求(RO Submit Request)メッセージに対する応答メッセージとして、前記ＲＩ２０から第１のディバイス１０に伝送される権利客体伝達応答(ROSubmit Response)メッセージを定義する。
【００２５】
以下、権利客体伝達要求(RO Submit Request)メッセージに対して説明する。
【００２６】
表１に示すように、本発明による権利客体伝達要求(RO Submit Request)メッセージは、ディバイスＩＤ(Device ID)、権利発行サーバーＩＤ(RI ID)、ディバイスノンス(DeviceNonce)、保護権利客体(Protected ROs)、認証チェーン(Certificate Chain)、追加情報(Extensions)、デジタル署名(Signature)などのパラメーターを含む。
【００２７】
ディバイスＩＤ(DeviceID)は、権利客体伝達要求(RO Submit Request)メッセージを伝送するディバイスのＩＤを示し、例えば、ディバイスの電話番号が主に使用され、ＴＭＳＩ(TemporaryMobile Subscriber Identity)、ＩＭＳＩ(International Mobile Subscriber Identity)(ＧＳＭ(GlobalSystem for Mobile communication)の場合)、ＩＰ(Internet Protocol)(Ｉｐｖ６の場合)アドレスなども使用されることができる。権利発行サーバーＩＤ(RIID)は、前記権利客体伝達要求(RO Submit Request)メッセージを受信するＲＩのＩＤを示す。ディバイスノンス(Device Nonce)は、前記ディバイスが生成する任意値を示す。保護権利客体(ProtectedROs)は、暗号化された権利客体で、伝達または返納の対象になる権利客体を示す。認証チェーン(Certificate Chain)は、機関間の認証手順を示す。追加情報(Extensions)は、前記権利客体伝達要求(ROSubmit Request)メッセージに追加された情報を示す。デジタル署名(Signature)は、ＰＫＩ(Public KeyInfrastructure)方法が多く使用される。
【００２８】
図２は、前記権利客体伝達要求(RO Submit Request)メッセージの構造、内容及び意味体系を定義するスキーマ(Schema)を示す。
【００２９】
【表１】
2006040279.tif 000003
表１に示すように、前記認証チェーン(Certificate Chain)及び追加情報(Extensions)パラメーターは、前記権利客体伝達要求(RO SubmitRequest)メッセージに選択的に含まれる。
【００３０】
本発明は、前記権利客体伝達要求(RO Submit Request)メッセージが権利客体の伝達を要求するためのメッセージであるか否かを表示するために、前記追加情報(Extensions)パラメーターにリダイレクトＩＤ(RedirectIdentifier)を含める。前記リダイレクトＩＤ(Redirect Identifier)は、前記保護権利客体(Protected ROs)パラメーターの値を受信する受信ディバイスのＩＤを示す。前記受信ディバイスのＩＤは、ＴＭＳＩ、ＩＭＳＩ、またはＩＰ(InternetProtocol)アドレスであることができ、受信ディバイスの電話番号であることもできる。
【００３１】
前記権利客体伝達要求(RO Submit Request)メッセージの追加情報(Extensions)パラメーターにリダイレクト識別字(redirectidentifier)が存在しないと、前記権利客体伝達要求(RO Submit Request)メッセージは権利客体の返納を要求するためのメッセージであると判断される。
【００３２】
次に、権利客体伝達応答(RO Submit Response)メッセージに対して説明する。表２に示すように、前記権利客体伝達応答(RO SubmitResponse)メッセージは、状態(Status)、ディバイスＩＤ(Device ID)、ドメインＩＤ(Domain ID)、権利発行サーバーＩＤ(RIID)、ディバイスノンス(Device Nonce)、デジタル署名(Signature)などのパラメーターを含む。
【００３３】
状態(Status)は、権利客体伝達要求(ROSubmit Request)メッセージの要求に応じて該当権利客体の伝達が成功的に遂行されたか否かを示す状態情報である。ディバイスＩＤ(Device ID)は、前記権利客体伝達要求(ROSubmit Request)メッセージに含まれていたディバイスＩＤを示す。ドメインＩＤ(Domain ID)は、選択的なパラメーターである。権利発行サーバーＩＤ(RIID)は、前記権利客体伝達要求(RO Submit Request)メッセージに含まれていた権利発行サーバーＩＤ(RI ID)であり、前記権利客体伝達応答(ROSubmit Response)メッセージを送信する権利発行サーバーのＩＤを示す。ディバイスノンス(Device Nonce)は、前記権利客体伝達要求(ROSubmit Request)メッセージに含まれていたディバイスノンス(Device Nonce)を示す。デジタル署名(Signature)は、ＰＫＩ(PublicKey Infrastructure)方法が多く使用される。
【００３４】
【表２】
2006040279.tif 000004
図３は、前記権利客体伝達応答(RO Submit Response)メッセージの構造、内容及び意味体系を定義するスキーマ(Schema)を示す。
【００３５】
図４Ａ及び図４Ｂは、ＸＭＬ(extensible markup language)を利用してコーディングされた前記権利客体伝達要求(RO SubmitRequest)メッセージの例を示す。図５は、ＸＭＬを利用してコーディングされた前記権利客体伝達応答(RO Submit Response)メッセージの例を示す。図４Ａ及び図４Ｂに示すように、リダイレクトＩＤ(RedirectIdentifier)が前記権利客体伝達要求(RO Submit Request)メッセージの追加情報(extensions)パラメーターに含まれており、リダイレクトＩＤ(RedirectIdentifier)の値は、“093210932091”である。即ち、前記権利客体伝達要求(RO Submit Request)メッセージは、“093210932091”の値(受信ディバイスの電話番号またはＴＭＳＩ、ここでは、ＴＭＳＩである)を有する受信ディバイスに権利客体を伝達することを要求するためのメッセージである。図５に示す前記権利客体伝達応答(ROSubmit Response)メッセージは、図４Ａ及び図４Ｂに示す前記権利客体伝達要求(RO Submit Request)メッセージに対する応答メッセージで、権利客体の伝達が正常に行われたことを示す。
【００３６】
以下、本発明によるＤＲＭシステムの権利客体処理動作を説明する。
【００３７】
デジタルコンテンツに対する一部使用または未使用の権利客体を他の使用者、即ち、他のディバイスに伝達する場合(Ａ)と、一部使用または未使用の権利客体をＲＩ２０に返納する場合(Ｂ)とに区分して説明する。
【００３８】
(Ａ)一部使用または未使用の権利客体を他の使用者に伝達する場合
図６は、本発明によるＤＲＭシステムにおける権利客体の伝達方法の一例を示す。
【００３９】
例えば、第１のディバイス１０が任意のデジタルコンテンツに対する一部使用(partially consumed)または未使用(unused)の権利客体を第２のディバイス１１に伝達しようとする時、第１のディバイス１０は、その一部使用または未使用の権利客体を権利客体伝達要求(ROSubmit Request)メッセージの保護権利客体(Protected Ros)パラメーターに記録し、前記保護権利客体パラメーターを受信する第２のディバイス１１のＩＤを追加情報(extensions)パラメーターにリダイレクトＩＤ(RedirectIdentifier)の値として記録する。また、第１のディバイス１０は、第１のディバイス１０のＩＤをディバイスＩＤパラメーターに記録し、権利客体伝達要求(ROSubmit Request)メッセージを受信するＲＩのＩＤを権利発行サーバーＩＤ(RI ID)パラメーターに記録し、他の必須なパラメーターの値を充填する。このようにディバイスＩＤ(DeviceID)、権利発行サーバーＩＤ(RI ID)、ディバイスノンス(Device Nonce)、保護権利客体(Protected ROs)、追加情報(Extensions)、デジタル署名(Signature)のパラメーターの値を全て充填することによって、第１のディバイス１０は、権利客体伝達要求(ROSubmit Request)メッセージを生成する。
【００４０】
第１のディバイス１０は、前記生成された前記権利客体伝達要求(RO Submit Request)メッセージをＲＩ２０に送信する(Ｓ１０)。
【００４１】
前記権利客体伝達要求(RO Submit Request)メッセージを受信したＲＩ２０は、前記権利客体伝達要求(RO Submit Request)メッセージの追加情報(extensions)パラメーターにリダイレクトＩＤ(RedirectIdentifier)値が存在するか否かを確認する。リダイレクトＩＤ(Redirect Identifier)値が存在すると、前記ＲＩ２０は、リダイレクトＩＤ値に該当する受信ディバイスに保護権利客体(ProtectedROs)パラメーター値に該当する権利客体を伝達すべきであることを認識し、権利客体伝達応答(RO Submit Response)メッセージを第１のディバイス１０に伝送する(Ｓ１１)。ＲＩ２０は、伝達する権利客体を該当保存所(Storage)で管理する(Ｓ１２)。
【００４２】
前記権利客体伝達応答(RO Submit Response)メッセージを受信した第１のディバイス１０は、前記権利客体伝達応答(RO SubmitResponse)メッセージが成功状態情報を有していると、第２のディバイス１１に伝達しようとした権利客体を削除する(Ｓ１３)。このとき、第１のディバイス１０は、前記権利客体と共にデジタルコンテンツを削除することもあり、削除しないこともある。
【００４３】
ＲＩ２０は、伝達する権利客体を１−ｐａｔｈ ＲＯＡＰ(Right Object Acquisition Protocol)を通じて第２のディバイス１１に伝達する(Ｓ１４)。このとき、第２のディバイス１１が受けた権利客体に該当するデジタルコンテンツ(第１のディバイス１０と同一のデジタルコンテンツ)を既に有していて、第２のディバイス１１に権利客体の伝達が成功的に行われた場合、第２のディバイス１１への権利客体伝達手順は終了される。前記第２のディバイス１１が前記デジタルコンテンツを既に有しているということは、第２のディバイス１１がＲＩ２０に既に登録されていることを示す。
【００４４】
一方、ＲＩ２０が第２のディバイス１１に権利客体を伝達しようとする時、ＲＩ２０が権利客体を第２のディバイス１１に送信し得ないか、何かの理由によって第２のディバイス１１が前記権利客体を受信し得ない場合に対して説明する。
【００４５】
図７は、第２のディバイス１１への権利客体の伝達をＲＩ２０が成功的に遂行し得ない時、ＤＲＭシステムにおける処理手順を示す。
【００４６】
段階Ｓ２０ないしＳ２３は、図６の動作過程と同様であるので、説明を省略する。
【００４７】
第１のディバイス１０によって伝達が要求された権利客体を第２のディバイス１１に送信し得るか否かを確認し、第２のディバイス１１のパワーオフなどの理由により第２のディバイス１１への前記権利客体の送信が不可能になった場合、または、権利客体を１−ｐａｔｈＲＯＡＰを通じて第２のディバイス１１に送信したが(Ｓ２４)、第２のディバイス１１から受信応答がないか、または、メモリが一杯になったため受信できないというメッセージを第２のディバイス１１から受信した場合(Ｓ２５)、ＲＩ２０は、権利客体の伝達を正常に遂行することができないと判断し(Ｓ２６)、ＲＯＡＰトリガー(trigger)を第１のディバイス１０に送信する(Ｓ２７)。前記ＲＯＡＰトリガーは、第１のディバイス１０の権利客体を第２のディバイス１１に伝達することができず、かつ該権利客体の返納を所望すると、ＰＳ３０のＵＲＬ(uniformresource locator)‘xxx.html’に接続しろという内容を含んでいる。
【００４８】
第１のディバイス１０がＰＳ３０の該当ＵＲＬに接続すると(Ｓ２８)、ＰＳ３０は、第１のディバイス１０に複数の選択項目を見せる(Ｓ２９)。前記複数の選択項目は、サイバーキャッシュで払い戻し、やり直し、また他の権利客体の発給及び伝達を所望した権利客体の回収を含む。参考として、サイバーキャッシュで払い戻す時、また他の権利客体が発給される時、または、権利客体を回収する時は、第１のディバイス１０から第２のディバイス１１に伝達する権利客体の値と同一であるか、それとも小さな値であることができる。
【００４９】
図８Ａに示すように、第１のディバイス１０が‘サイバーキャッシュで払い戻し’の項目を選択すると(Ｓ３０)、ＰＳ３０は、第１のディバイス１０が払い戻しを所望するということをＲＩ２０に知らせる(Ｓ３１)。ＲＩ２０は、第１のディバイス１０のサイバーキャッシュ口座を管理し、該当権利客体をサイバーキャッシュで払い戻し、該払い戻されたサイバーキャッシュを第１のディバイス１０のサイバーキャッシュ口座に積み立て、ＰＳ３０に第１のディバイス１０のサイバーキャッシュの積み立てを知らせる(Ｓ３２)。さらに、ＲＩ２０は、払い戻しを知らせ、払い戻し確認のためのＰＳ３０のＵＲＬアドレスを知らせるＲＯＡＰトリガーを第１のディバイス１０に送信する(Ｓ３３)。
【００５０】
第１のディバイス１０が払い戻しの内容を確認するためにＰＳ３０の該当ＵＲＬアドレスを接続すると(Ｓ３４)、ＰＳ３０は、払い戻しの結果の第１のディバイス１０のサイバーキャッシュ値を第１のディバイス１０に見せる(Ｓ３５)。
【００５１】
図７の段階Ｓ２８の状態で、図８Ｂに示すように、第１のディバイス１０が‘やり直し’の項目を選択すると(Ｓ４０)、ＰＳ３０は、第１のディバイス１０がやり直すことを所望するということをＲＩ２０に知らせる(Ｓ４１)。すると、ＲＩ２０は、第２のディバイス１１に伝達する権利客体を１−ｐａｔｈＲＯＡＰを通じて伝達する(Ｓ４２)。ＲＩ２０は、第２のディバイス１１への権利客体の伝達が成功的に行われた場合、図６の手順を従い、失敗した場合、図７の手順を従う(Ｓ４３)。
【００５２】
図７の段階Ｓ２８の状態で、図８Ｃに示すように、第１のディバイス１０が‘また他の権利客体の発給’の項目を選択すると(Ｓ５０)、ＰＳ３０は、新しいデジタルコンテンツ及びそれによる権利客体の値を準備する(Ｓ５１)。すると、第１のディバイス１０は、準備した値のうち１つのデジタルコンテンツ及びそれによる権利客体を作るための値を選択する(Ｓ５２)。ＰＳ３０は、第１のディバイス１０によって選択されたデジタルコンテンツ及びその権利客体を作るための情報(例えば、値段)をＲＩ２０に送信する(Ｓ５３)。ＲＩ２０は、受信された値により権利客体及びデジタルコンテンツを準備する(Ｓ５４)。さらに、ＲＩ２０は、また他の(新しい)権利客体及びデジタルコンテンツの発給を受けることを知らせるためのＲＯＡＰトリガーを第１のディバイス１０に送信する(Ｓ５５)。すると、第１のディバイス１０は、第２のディバイス１１に伝達しようとした権利客体を削除する(Ｓ５６)。また、第１のディバイス１０は、一般的な２−ｐａｔｈＲＯＡＰ手順を遂行して、選択したまた他の権利客体及びデジタルコンテンツの発給を受ける。即ち、第１のディバイス１０は、ＲＩ２０にそのまた他の権利客体を要請し、ＲＩ２０は、前記要請の応答としてそのまた他の権利客体を第１のディバイス１０に発給する。
【００５３】
図７の段階Ｓ２８の状態で、図８Ｄに示すように、第１のディバイス１０が‘伝達を所望した権利客体の回収’の項目を選択すると(Ｓ６０)、ＰＳ３０は、第１のディバイス１０が該当権利客体の回収を所望するということをＲＩ２０に知らせる(Ｓ６１)。ＲＩ２０は、第１のディバイス１０の該当権利客体及びデジタルコンテンツを準備する(Ｓ６２)。その後、ＲＩ２０は、該当権利客体の回収を指示するためのＲＯＡＰトリガーを第１のディバイス１０に送信する(Ｓ６３)。第１のディバイス１０は、該当権利客体を一般的な２−ｐａｔｈＲＯＡＰ手順を遂行して回収する。即ち、第１のディバイス１０は、第２のディバイス１１に伝達しようとした権利客体を再び発給してくれることをＲＩ２０に要請する。すると、ＲＩ２０は、該当権利客体を第１のディバイス１０に再び発給する。
【００５４】
一方、ＲＩ２０が第２のディバイス１１に権利客体を伝達した時、第２のディバイス１１が第１のディバイス１０と同一のデジタルコンテンツを有していない場合に対して説明する。
【００５５】
図９は、ＲＩ２０を通じて受けた権利客体に該当するデジタルコンテンツを第２のディバイス１１が有していない場合、第２のディバイス１１が前記デジタルコンテンツを得る方法を示す。
【００５６】
第１のディバイス１０は、一部使用または未使用の権利客体を第２のディバイス１１に伝達することを要請するための権利客体伝達要求(RO Submit Request)メッセージをＲＩ２０に送信する(Ｓ７０)。ＲＩ２０は、要請を受けた権利客体を第２のディバイス１１に１−ｐａｔｈＲＯＡＰを通じて伝達する(Ｓ７１)。
【００５７】
権利客体が１−ｐａｔｈ ＲＯＡＰを通じて伝達されると、第２のディバイス１１は、前記伝達された権利客体に該当するデジタルコンテンツを既に有しているか否かを確認する。前記デジタルコンテンツを有していないと、第２のディバイス１１は、ＲＩ２０に前記デジタルコンテンツを有していないことを知らせる(Ｓ７２)。すると、ＲＩ２０は、第２のディバイス１１が登録されているか否か及び前記デジタルコンテンツを有していないか否かを確認する。第２のディバイス１１が登録されておらず、前記デジタルコンテンツを有していない場合は、一般的な登録手順及び一般的な権利客体発給手順を遂行することを指示するためのＲＯＡＰトリガーを第２のディバイス１１に送信する(Ｓ７３)。第２のディバイス１１は、受信された前記ＲＯＡＰトリガーにより、一般的な登録手順(一般的な４−ｐａｔｈ登録プロトコルを利用)を従ってＲＩ２０に登録し、前記権利客体に該当するデジタルコンテンツがＰＳ３０を通じてダウンロードした後、一般的な２−ｐａｔｈＲＯＡＰを通じて前記伝達された権利客体の発給を受ける(Ｓ７４)。
【００５８】
図１０は、本発明によるＤＲＭシステムにおける権利客体の伝達方法の他の例を示す。
【００５９】
第２のディバイス１１が既に第１のディバイス１０と同一のデジタルコンテンツを有していると、第１のディバイス１０は、一部使用または未使用の権利客体を第２のディバイス１１に伝達することを要求するための権利客体伝達要求(RO Submit Request)メッセージをＲＩ２０に送信する(Ｓ８０)。ＲＩ２０は、伝達要求を受けた権利客体を第２のディバイス１１に１−ｐａｔｈＲＯＡＰを通じて伝達する(Ｓ８１)。伝達が成功的に行われた場合、ＲＩ２０は、前記権利客体伝達要求(RO Submit Request)メッセージに対する応答メッセージである権利客体伝達応答(ROSubmit Response)メッセージを第１のディバイス１０に送信する(Ｓ８２)。前記権利客体伝達要求(RO Submit Request)メッセージの送信段階(Ｓ８０)、前記１−ｐａｔｈＲＯＡＰを通じた権利客体の伝達段階(Ｓ８１)及び権利客体伝達応答(RO Submit Response)メッセージの送信段階(Ｓ８２)は、１つのトランザクション(transaction)によって処理される。従って、前記段階Ｓ８０、Ｓ８１、Ｓ８２が全て成功的に遂行された場合、第２のディバイス１１への該当権利客体の伝達手順が完了し、第１のディバイス１０は、第２のディバイス１１に伝達した権利客体を第１のディバイス１０から削除する(Ｓ８３)。このとき、第１のディバイス１０は、該当デジタルコンテンツも共に削除することがあり、デジタルコンテンツは削除しないこともある。
【００６０】
(Ｂ)一部使用または未使用の権利客体をＲＩ２０に返納する場合
図１１は、本発明によるＤＲＭシステムにおける権利客体返納方法を示す。
【００６１】
第１のディバイス１０は、リダイレクトＩＤ(Redirect Identifier)を含まない権利客体伝達要求(RO Submit Request)メッセージを生成し、前記生成された権利客体伝達要求(ROSubmit Request)メッセージをＲＩ２０に送信する(Ｓ９０)。ＲＩ２０は、受信された権利客体伝達要求(RO Submit Request)メッセージにリダイレクトＩＤ(RedirectIdentifier)が存在しないことを確認し、前記権利客体伝達要求(RO Submit Request)メッセージはそのメッセージに含まれた権利客体の返納を要求するメッセージであると判断する。従って、ＲＩ２０は、第１のディバイス１０が権利客体の返納を要求していることをＰＳ３０に知らせる(Ｓ９１)。ＰＳ３０は、返納サービスを準備して返納サービスの準備をＲＩ２０に報告する(Ｓ９３)。すると、ＲＩ２０は、権利客体の返納のためにＰＳ３０に接続しろということを指示するためのＲＯＡＰトリガーを第１のディバイス１０に伝送する(Ｓ９４)。
【００６２】
第１のディバイス１０は、前記ＲＯＡＰトリガーによってＰＳ３０の該当ＵＲＬアドレスに接続し(Ｓ９５)、ＰＳ３０は、返納権利客体の値以下の値に該当するサイバーキャッシュで払い戻すための‘サイバーキャッシュで払い戻し’の選択項目及び前記返納権利客体の値以下の値に該当する新しい権利客体の発給を受けるための‘また他の権利客体発給’の選択項目を第１のディバイス１０に提供する(Ｓ９６)。すると、第１のディバイス１０は、選択項目のうち１つを選択する。前記選択項目のうち第１のディバイス１０が‘サイバーキャッシュで払い戻し’の項目を選択する場合、図８Ａの動作方法と同様の方法によってサイバーキャッシュで払い戻しの動作が遂行され、これに対する説明は省略する。また、前記選択項目のうち第１のディバイス１０が‘また他の権利客体発給’の項目を選択する場合、図８Ｃの動作方法と同様な方法によってまた他の権利客体発給動作が遂行され、これに対する説明は省略する。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６４】
【図１】本発明によるＤＲＭシステムにおける権利客体処理システム構成の一例を示す図である。
【図２】本発明による権利客体伝達要求(RO Submit Request)メッセージの構造、内容及び意味体系を定義するスキーマ(Schema)を示す図である。
【図３】本発明による権利客体伝達応答(RO Submit Response)メッセージの構造、内容及び意味体系を定義するスキーマ(Schema)を示す図である。
【図４Ａ】Ａ及びＢは、ＸＭＬを利用してコーディングされた権利客体伝達要求(RO Submit Request)メッセージの例を示す図である。
【図４Ｂ】Ａ及びＢは、ＸＭＬを利用してコーディングされた権利客体伝達要求(RO Submit Request)メッセージの例を示す図である。
【図５】ＸＭＬを利用してコーディングされた権利客体伝達応答(RO Submit Response)メッセージの例を示す図である。
【図６】本発明によるＤＲＭシステムにおける権利客体の伝達方法の一例を示す図である。
【図７】受信ディバイスへの権利客体の伝達を権利発行サーバー(ＲＩ)が成功的に遂行することができない時に、ＤＲＭシステムにおける処理手順を示す図である。
【図８Ａ】図７で、サイバーキャッシュで払い戻しの項目を選択した時の処理手順を示す図である。
【図８Ｂ】図７で、やり直しの項目を選択した時の処理手順を示す図である。
【図８Ｃ】図７で、また他の権利客体の発給の項目を選択した時の処理手順を示す図である。
【図８Ｄ】図７で、伝達対象権利客体の回収の項目を選択した時の処理手順を示す図である。
【図９】権利発行サーバー(ＲＩ)を通じて伝達された権利客体に該当するデジタルコンテンツを受信ディバイスが有していない場合、受信ディバイスが前記デジタルコンテンツを得る方法を示す図である。
【図１０】本発明によるＤＲＭシステムにおける権利客体の伝達方法の他の例を示す図である。
【図１１】本発明によるＤＲＭシステムにおける権利客体返納方法を示す図である。
【図１】
2006040279.tif 000005
【図２】
2006040279.tif 000006
【図３】
2006040279.tif 000007
【図４Ａ】
2006040279.tif 000008
【図４Ｂ】
2006040279.tif 000009
【図５】
2006040279.tif 000010
【図６】
2006040279.tif 000011
【図７】
2006040279.tif 000012
【図８Ａ】
2006040279.tif 000013
【図８Ｂ】
2006040279.tif 000014
【図８Ｃ】
2006040279.tif 000015
【図８Ｄ】
2006040279.tif 000016
【図９】
2006040279.tif 000017
【図１０】
2006040279.tif 000018
【図１１】
2006040279.tif 000019